(57)【要約】【課題】Ｖ−ＯＮＵの状態監視を行うこと。【解決手段】光映像信号を電気映像信号に変換するＶ−ＯＮＵ５０から出力される電気映像信号の状態を監視する監視装置において、Ｖ−ＯＮＵ５０から出力される電気映像信号を入力し、電気映像信号の状態を検出する検出手段（検波部６６、エラー検出部６７、契約照合部６８）と、検出手段によって検出された電気映像信号の状態を示す状態情報を生成する生成手段（制御部６９）と、生成手段によって生成された状態情報を、光データ信号と電気データ信号とを相互に変換するＤ−ＯＮＵ（Ｄ−ＯＮＵ機能部６２）に供給し、Ｄ−ＯＮＵを介してセンター装置へ送信させる送信手段（制御部６９）と、を有することを特徴とする。【選択図】図１
2018113647.tif 000002
【特許請求の範囲】
【請求項１】
光映像信号を電気映像信号に変換するＶ−ＯＮＵから出力される前記電気映像信号の状態を監視する監視装置において、
前記Ｖ−ＯＮＵから出力される前記電気映像信号を入力し、前記電気映像信号の状態を検出する検出手段と、
前記検出手段によって検出された前記電気映像信号の状態を示す状態情報を生成する生成手段と、
前記生成手段によって生成された前記状態情報を、光データ信号と電気データ信号とを相互に変換するＤ−ＯＮＵに供給し、前記Ｄ−ＯＮＵを介してセンター装置へ送信させる送信手段と、
を有することを特徴とする監視装置。
【請求項２】
前記検出手段は、前記電気映像信号の信号レベルを検出することを特徴とする請求項１に記載の監視装置。
【請求項３】
前記検出手段は、前記電気映像信号の信号品質を検出することを特徴とする請求項１または２に記載の監視装置。
【請求項４】
前記検出手段は、前記電気映像信号に含まれる映像信号に契約によって視聴が許可されている信号が含まれているか検出するか、または、契約によって視聴が許可されていない信号が含まれていないか検出することを特徴とする請求項１乃至３のいずれか１項に記載の監視装置。
【請求項５】
前記検出手段、前記生成手段、および、前記送信手段は、前記Ｄ−ＯＮＵと同じ筐体に内蔵されていることを特徴とする請求項１乃至４のいずれか１項に記載の監視装置。
【請求項６】
前記Ｄ−ＯＮＵはＵＳＢ端子を有し、
前記検出手段、前記生成手段、および、前記送信手段は、前記Ｄ−ＯＮＵとは独立した筐体に収容され、前記Ｄ−ＯＮＵが有する前記ＵＳＢ端子から電源電力の供給を受け、前記ＵＳＢ端子を介して前記状態情報を前記Ｖ−ＯＮＵに供給する、
ことを特徴とする請求項１乃至４のいずれか１項に記載の監視装置。
【請求項７】
前記送信手段は、前記生成手段によって生成された前記状態情報を、無線通信によって前記Ｄ−ＯＮＵに供給することを特徴とする請求項１乃至４のいずれか１項に記載の監視装置。
【請求項８】
光映像信号を電気映像信号に変換するＶ−ＯＮＵと、
光データ信号と電気データ信号とを相互に変換するＤ−ＯＮＵと、
前記Ｖ−ＯＮＵから出力される前記電気映像信号を入力し、前記電気映像信号の状態を検出する検出手段と、前記検出手段によって検出された前記電気映像信号の状態を示す状態情報を生成する生成手段と、前記生成手段によって生成された前記状態情報を、前記Ｄ−ＯＮＵを介してセンター装置へ送信させる送信手段と、を有する監視装置と、
を有することを特徴とする監視システム。
【発明の詳細な説明】
【技術分野】
【０００１】
本発明は、監視装置および監視システムに関するものである。
【背景技術】
【０００２】
近年、各家庭に光ファイバを敷設し、テレビジョン放送等の映像信号を伝送するＦＴＴＨシステムが普及している。
【０００３】
特許文献１に示すように、ＦＴＴＨによるＴＶ放送については、光ファイバで伝送される光映像信号を電気映像信号に変換するＶ−ＯＮＵを介して、変換された電気映像信号と各家庭に既に敷設されているＴＶ放送用の電気配線（例えば、同軸ケーブル）とを接続する方法が採用されている。
【先行技術文献】
【特許文献】
【０００４】
【特許文献１】特開２００２−０８４５３５号公報
【発明の概要】
【発明が解決しようとする課題】
【０００５】
ところで、前述したＶ−ＯＮＵでは、光映像信号は下り方向のみであることから、Ｖ−ＯＮＵの状態を監視しセンター側に通知することができないという問題点がある。
【０００６】
本発明は、以上の点を鑑みてなされたものであり、Ｖ−ＯＮＵの状態を監視してセンター側に通知することが可能な監視装置および監視システムを提供することを目的としている。
【課題を解決するための手段】
【０００７】
上記課題を解決するために、本発明は、光映像信号を電気映像信号に変換するＶ−ＯＮＵから出力される前記電気映像信号の状態を監視する監視装置において、前記Ｖ−ＯＮＵから出力される前記電気映像信号を入力し、前記電気映像信号の状態を検出する検出手段と、前記検出手段によって検出された前記電気映像信号の状態を示す状態情報を生成する生成手段と、前記生成手段によって生成された前記状態情報を、光データ信号と電気データ信号とを相互に変換するＤ−ＯＮＵに供給し、前記Ｄ−ＯＮＵを介してセンター装置へ送信させる送信手段と、を有することを特徴とする。
このような構成によれば、Ｖ−ＯＮＵの状態を監視してセンター側に通知することが可能となる。
【０００８】
また、本発明は、前記検出手段は、前記電気映像信号の信号レベルを検出することを特徴とする。
このような構成によれば、Ｖ−ＯＮＵから出力されている電気映像信号の信号レベルを監視することができる。
【０００９】
また、本発明は、前記検出手段は、前記電気映像信号の信号品質を検出することを特徴とする。
このような構成によれば、Ｖ−ＯＮＵから出力されている電気映像信号の品質として、エラーレート等を監視することができる。
【００１０】
また、本発明は、前記検出手段は、前記電気映像信号に含まれる映像信号に契約によって視聴が許可されている信号が含まれているか検出するか、または、契約によって視聴が許可されていない信号が含まれていないか検出することを特徴とする。
このような構成によれば、例えば、映像信号の視聴の許可の有無を示す遠隔制御情報を参照することで、Ｖ−ＯＮＵから出力されている電気映像信号と契約内容との一致の有無を監視することができる。
【００１１】
また、本発明は、前記検出手段、前記生成手段、および、前記送信手段は、前記Ｄ−ＯＮＵと同じ筐体に内蔵されていることを特徴とする。
このような構成によれば、構成を簡略化することで、コストを低減することができる。
【００１２】
また、本発明は、前記Ｄ−ＯＮＵはＵＳＢ端子を有し、前記検出手段、前記生成手段、および、前記送信手段は、前記Ｄ−ＯＮＵとは独立した筐体に収容され、前記Ｄ−ＯＮＵが有する前記ＵＳＢ端子から電源電力の供給を受け、前記ＵＳＢ端子を介して前記状態情報を前記Ｖ−ＯＮＵに供給する、ことを特徴とする。
このような構成によれば、Ｄ−ＯＮＵの構成を簡略化することができる。
【００１３】
また、本発明は、前記送信手段は、前記生成手段によって生成された前記状態情報を、無線通信によって前記Ｄ−ＯＮＵに供給することを特徴とする。
このような構成によれば、配線の引き回しを省略することで、設置作業を簡略化することができる。
【００１４】
また、本発明は、光映像信号を電気映像信号に変換するＶ−ＯＮＵと、光データ信号と電気データ信号とを相互に変換するＤ−ＯＮＵと、前記Ｖ−ＯＮＵから出力される前記電気映像信号を入力し、前記電気映像信号の状態を検出する検出手段と、前記検出手段によって検出された前記電気映像信号の状態を示す状態情報を生成する生成手段と、前記生成手段によって生成された前記状態情報を、前記Ｄ−ＯＮＵを介してセンター装置へ送信させる送信手段と、を有する監視装置と、を有することを特徴とする。
このような構成によれば、Ｖ−ＯＮＵの状態を監視してセンター側に通知することが可能となる。
【発明の効果】
【００１５】
本発明によれば、Ｖ−ＯＮＵの状態を監視してセンター側に通知することが可能な監視装置および監視システムを提供することができる。
【図面の簡単な説明】
【００１６】
【図１】本発明の第１実施形態に係る監視システムの構成例を示す図である。
【図２】図１に示すＤ−ＯＮＵの詳細な構成例を示す図である。
【図３】本発明の第１実施形態において実行される処理の一例を説明するためのフローチャートである。
【図４】本発明の第２実施形態に係る監視システムの構成例を示す図である。
【図５】図４に示す変換部とＤ−ＯＮＵの詳細な構成例を示す図である。
【図６】本発明の第３実施形態に係る監視システムの構成例を示す図である。
【図７】図６に示す変換部とＤ−ＯＮＵの詳細な構成例を示す図である。
【発明を実施するための形態】
【００１７】
次に、本発明の実施形態について説明する。
【００１８】
（Ａ）本発明の第１実施形態の構成の説明
図１は、本発明の第１実施形態の構成例を示す図である。図１に示す構成例は、映像信号送信装置１０、通信信号送受信装置２０、光伝送路３０，４０、Ｖ−ＯＮＵ（Video-Optical Network Unit）５０、Ｄ−ＯＮＵ（Data-Optical Network Unit）６０、宅内配線８０、分配器８１，８２、テレビジョン受像機１００−１〜１００−４、および、パーソナルコンピュータ１１０を有している。
【００１９】
ここで、映像信号送信装置１０は、センター側に配置され、例えば、ＣＡＴＶ（Cable Television）等の電気映像信号を、光映像信号に変換し、光伝送路３０を介して各家庭に伝送する。なお、図１では、映像信号送信装置１０とＶ−ＯＮＵ５０とは直接接続されているが、実際には、これらの間には光分岐器（クロージャ）が配置され、映像信号送信装置１０から送信される光映像信号を分岐し、複数の家庭に接続する。
【００２０】
通信信号送受信装置２０は、センター側に配置され、例えば、所定のサーバから取得した電気データ信号を光データ信号に変換し、光伝送路４０を介して各家庭に伝送するとともに、各家庭から送信される電気データ信号を光データ信号に変換し、光伝送路４０を介して通信信号送受信装置２０に供給する。なお、図１では、通信信号送受信装置２０とＤ−ＯＮＵ６０とは直接接続されているが、実際には、これらの間には光分岐器（クロージャ）が配置され、通信信号送受信装置２０から送信される光データ信号を分岐し、複数の家庭に接続する。
【００２１】
光伝送路３０は、例えば、光ファイバを有する光ケーブルによって構成され、映像信号送信装置１０から送信される光映像信号を各家庭まで伝送する。光伝送路４０も同様に、光ファイバを有する光ケーブルによって構成され、通信信号送受信装置２０と各家庭との間で光データ信号を送受信する。
【００２２】
Ｖ−ＯＮＵ５０は、映像信号送信装置１０から光伝送路３０を介して伝送される光映像信号を受信し、対応する電気映像信号に変換して出力する。また、Ｖ−ＯＮＵ５０は、家庭毎の契約に応じて、契約に含まれているチャンネルの電気映像信号は通過させ、契約に含まれていないチャンネルの電気映像信号は遮断する。これにより、ユーザは、契約しているチャンネルの映像のみを視聴可能となる。
【００２３】
Ｄ−ＯＮＵ６０は、通信信号送受信装置２０との間で光伝送路４０を介して光データ信号を送受信する。なお、Ｖ−ＯＮＵ５０は、下り方向（センターから各家庭への方向）のみの光信号を受信するが、Ｄ−ＯＮＵ６０は、下り方向の信号を受信するのみならず、上り方向（各家庭からセンターへの双方向）の光信号も送信する。また、第１実施形態に係るＤ−ＯＮＵ６０は、後述するように、電気映像信号を入力する端子を有している。
【００２４】
宅内配線８０は、各家庭の壁内に敷設される電気配線によって構成され、Ｖ−ＯＮＵ５０から出力される電気映像信号を各部屋に伝送する。
【００２５】
分配器８１は、Ｖ−ＯＮＵ５０から出力される電気映像信号を４分配してテレビジョン受像機１００−１〜１００−３および分配器８２に供給する。分配器８２は、分配器８１から出力される電気映像信号を２分配してテレビジョン受像機１００−４およびＤ−ＯＮＵ６０に供給する。
【００２６】
テレビジョン受像機１００−１〜１００−４は、例えば、液晶または有機ＥＬ（Electro Luminescence）を表示部に有し、電気映像信号に含まれる所定のチャンネルの放送信号を選択し、映像および音声を復調し、映像を表示部に表示するとともに、音声をスピーカ等から放音する。
【００２７】
パーソナルコンピュータ１１０は、Ｄ−ＯＮＵ６０、光伝送路４０、および、通信信号送受信装置２０を介して、例えば、インターネットに接続し、インターネット上の様々な情報を取得し、ディスプレイに表示することができる。
【００２８】
図２は、図１に示すＤ−ＯＮＵ６０の構成例を示す図である。図２に示すように、Ｄ−ＯＮＵ６０は、光データ信号入出力端子６１、Ｄ−ＯＮＵ機能部６２、データ信号入出力端子６３、電気映像信号入力端子６４、分配部６５、検波部６６、エラー検出部６７、契約照合部６８、および、制御部６９を有している。
【００２９】
ここで、光データ信号入出力端子６１は、光伝送路４０を構成する光ファイバが接続される入出力端子である。
【００３０】
Ｄ−ＯＮＵ機能部６２は、パーソナルコンピュータ１１０から供給される電気データ信号を光信号に変換して光伝送路４０に送出するとともに、光伝送路４０を介して伝送される光データ信号を電気信号に変換してパーソナルコンピュータ１１０に供給する。また、Ｄ−ＯＮＵ機能部６２は、制御部６９から供給される情報を光信号に変換して光伝送路４０に送出する。
【００３１】
データ信号入出力端子６３は、パーソナルコンピュータ１１０の通信線が接続され、パーソナルコンピュータ１１０との間で電気データ信号を送受信する。
【００３２】
電気映像信号入力端子６４は、宅内配線８０を介して伝送される電気映像信号を入力する端子である。より詳細には、電気映像信号入力端子６４は、Ｆ型コネクタによって構成され、宅内配線８０を介して伝送される電気映像信号を入力する。
【００３３】
分配部６５は、電気映像信号入力端子６４から入力される電気映像信号を３分配して検波部６６、エラー検出部６７、および、契約照合部６８に供給する。
【００３４】
検波部６６は、例えば、バンドパスフィルタ、検波ダイオード、雑音除去用コンデンサ、および、Ａ／Ｄ変換器等によって構成され、電気映像信号に含まれる所定の帯域の信号をバンドパスフィルタによって抽出し、検波ダイオードおよび雑音除去用コンデンサで、例えば、包絡線を検波し、検波した信号をＡ／Ｄ変換器によってデジタル信号に変換して制御部６９に供給する。
【００３５】
エラー検出部６７は、電気映像信号に含まれる所定の帯域の信号のＭＥＲ（Modulation Error Ratio）およびＢＥＲ（Bit Error Rate）を検出し、検出結果を制御部６９に供給する。なお、ＭＥＲおよびＢＥＲの一方を検出するようにしてもよい。
【００３６】
契約照合部６８は、Ｖ−ＯＮＵ５０が配置されている家庭の視聴契約に関する情報と、電気映像信号に含まれている放送信号とを照合し、契約していない放送が視聴可能となっていたり、契約している放送が視聴不能となっていたりしないかを判定し、判定結果を制御部６９に供給する。
【００３７】
制御部６９は、装置の各部を制御するとともに、検波部６６、エラー検出部６７、および、契約照合部６８から供給される情報をＤ−ＯＮＵ機能部６２に供給する。
【００３８】
（Ｂ）本発明の第１実施形態の動作の説明
つぎに、本発明の第１実施形態の動作について説明する。図３は、第１実施形態において実行される処理の一例を説明するためのフローチャートである。なお、図３に示す処理は、例えば、定期的（例えば、１時間に１回）に実行されたり、センター側からの指示に基づいて実行されたり、あるいは、ユーザの指示に基づいて実行されたりする。図３に示す処理が実行されると、以下のステップが実行される。
【００３９】
ステップＳ１０では、制御部６９は、検波部６６によって検出された検波信号レベルＬを取得する。
【００４０】
ステップＳ１１では、制御部６９は、ステップＳ１０で取得した検波信号レベルＬが所定の閾値Ｔｈ１未満か否かを判定し、Ｌ＜Ｔｈ１を満たす場合（ステップＳ１１：Ｙ）にはステップＳ１２に進み、それ以外の場合（ステップＳ１１：Ｎ）にはステップＳ１３に進む。
【００４１】
ステップＳ１２では、制御部６９は、信号レベル異常をセンター側に通知する。より詳細には、制御部６９は、信号レベル異常を示す情報に対してユーザを特定するＩＤ情報（例えば、契約者番号または機器の製造番号等）を付加し、Ｄ−ＯＮＵ機能部６２に供給する。Ｄ−ＯＮＵ機能部６２は、ＩＤ情報が付加された信号レベル異常を示す情報を光信号に変換し、光伝送路４０を介してセンター側の通信信号送受信装置２０に送信する。この結果、センター側では、受信した情報を参照することで、信号レベル異常の発生と、異常が発生したユーザを特定することができる。
【００４２】
ステップＳ１３では、制御部６９は、エラー検出部６７によって検出されたＭＥＲおよびＢＥＲを取得する。
【００４３】
ステップＳ１４では、制御部６９は、ステップＳ１３で取得したＭＥＲが所定の閾値Ｔｈ２を下回るか、または、ＢＥＲが所定の閾値Ｔｈ３を上回る場合（ステップＳ１４：Ｙ）にはステップＳ１５に進み、それ以外の場合（ステップＳ１４：Ｎ）にはステップＳ１６に進む。なお、一例として、Ｔｈ２としては２５ｄＢを用いることができる。また、Ｔｈ３としては２．０×１０−４を用いることができる。もちろん、これら以外の数値を用いるようにしてもよいことはいうまでもない。
【００４４】
ステップＳ１５では、制御部６９は、信号品質異常をセンター側に通知する。より詳細には、制御部６９は、信号品質異常を示す情報に対して前述したＩＤ情報を付加し、Ｄ−ＯＮＵ機能部６２に供給する。Ｄ−ＯＮＵ機能部６２は、ＩＤ情報が付加された信号品質異常を示す情報を光信号に変換し、光伝送路４０を介してセンター側の通信信号送受信装置２０に送信する。この結果、センター側では、受信した情報を参照することで、信号品質異常の発生と、異常が発生したユーザを特定することができる。
【００４５】
ステップＳ１６では、制御部６９は、契約照合部６８によって検出された契約照合結果を取得する。
【００４６】
ステップＳ１７では、制御部６９は、ステップＳ１６で取得した契約照合結果を参照し、契約済みの放送が視聴不能であるか否かを判定し、契約済みの放送が視聴不能であると判定した場合（ステップＳ１７：Ｙ）にはステップＳ１８に進み、それ以外の場合（ステップＳ１７：Ｎ）にはステップＳ１９に進む。
【００４７】
ステップＳ１８では、制御部６９は、契約済みの放送を視聴できないことを示す視聴不能異常をセンター側に通知する。より詳細には、制御部６９は、視聴不能異常を示す情報に対して前述したＩＤ情報を付加し、Ｄ−ＯＮＵ機能部６２に供給する。Ｄ−ＯＮＵ機能部６２は、ＩＤ情報が付加された視聴不能異常を示す情報を光信号に変換し、光伝送路４０を介してセンター側の通信信号送受信装置２０に送信する。この結果、センター側では、受信した情報を参照することで、視聴不能異常の発生と、異常が発生したユーザを特定することができる。
【００４８】
ステップＳ１９では、制御部６９は、ステップＳ１６で取得した契約照合結果を参照し、未契約の放送が視聴可能であるか否かを判定し、未契約の放送が視聴可能であると判定した場合（ステップＳ１９：Ｙ）にはステップＳ２０に進み、それ以外の場合（ステップＳ１９：Ｎ）には処理を終了する。
【００４９】
ステップＳ２０では、制御部６９は、未契約の放送が視聴可能であることを示す視聴可能異常をセンター側に通知する。より詳細には、制御部６９は、視聴可能異常を示す情報に対して前述したＩＤ情報を付加し、Ｄ−ＯＮＵ機能部６２に供給する。Ｄ−ＯＮＵ機能部６２は、ＩＤ情報が付加された視聴可能異常を示す情報を光信号に変換し、光伝送路４０を介してセンター側の通信信号送受信装置２０に送信する。この結果、センター側では、受信した情報を参照することで、視聴可能異常の発生と、異常が発生したユーザを特定することができる。
【００５０】
以上に説明したように、本発明の第１実施形態によれば、Ｄ−ＯＮＵ６０を利用してＶ−ＯＮＵ５０から出力される電気映像信号の異常を検出し、センター側に通知するようにしたので、設備の大幅な変更または増設なしに電気映像信号の異常をセンター側に通知することが可能になる。
【００５１】
また、本発明の第１実施形態では、Ｄ−ＯＮＵ６０にＦ型コネクタである電気映像信号入力端子６４を設け、そのＦ型コネクタに宅内配線８０を接続するようにしたので、配線作業を容易に行うことができる。
【００５２】
また、本発明の第１実施形態では、宅内配線８０をＦ型コネクタに接続して不具合を検出するようにしたので、宅内配線８０および分配器８１，８２に生じる不具合も含めて検出することができる。
【００５３】
また、本発明の第１実施形態では、信号レベルだけでなく、ＭＥＲおよびＢＥＲ等の信号品質異常も検出するようにしたので、センター側では異常発生の原因を速やかに特定することができる。
【００５４】
また、本発明の第１実施形態では、宅内配線８０に流れている電気映像信号に含まれる放送信号と、契約内容とを照合し、契約しているにも拘わらず視聴不能の放送を特定し、センター側に通知することができるので、センター側では異常発生の原因を速やかに特定することができる。また、本発明の第１実施形態では、契約していないにも拘わらず視聴可能になっている放送を特定し、センター側に通知することができるので、契約に基づかない視聴を制限することができる。
【００５５】
（Ｃ）本発明の第２実施形態の構成の説明
つぎに、図４を参照して本発明の第２実施形態の構成例について説明する。なお、図４において図１と対応する部分には同一の符号を付しているのでその説明は省略する。
【００５６】
図４では、図１と比較すると、Ｄ−ＯＮＵ６０がＤ−ＯＮＵ１６０に置換されるとともに、分配器８２とＤ−ＯＮＵ１６０の間に変換装置１２０が新たに追加されている。これら以外の構成は、図１の場合と同様である。
【００５７】
ここで、変換装置１２０は、電気映像信号を入力し、信号レベルならびにＭＥＲおよびＢＥＲを検出して出力するとともに、契約内容と電気映像信号を照合して照合結果を出力する。なお、変換装置１２０は、Ｆ型端子から入力される電気映像信号から前述した内容を検出し、ＵＳＢ（Universal Serial Bus）端子から出力する。
【００５８】
Ｄ−ＯＮＵ１６０は、変換装置１２０に対してＵＳＢ端子を介して電源電力を供給するとともに、変換装置１２０から出力される信号レベル、ＭＥＲ、ＢＥＲ、および、照合結果を入力し、ＩＤ情報を付加してセンター側に送信する。
【００５９】
図５は、図４に示す変換装置１２０とＤ−ＯＮＵ１６０の詳細な構成例を示す図である。図５に示すように、変換装置１２０は、電気映像信号入力端子１２１、分配部１２２、検波部１２３、エラー検出部１２４、契約照合部１２５、制御／通信部１２６、および、ＵＳＢ端子１２７を有している。なお、変換装置１２０は、例えば、Ｄ−ＯＮＵ１６０よりもサイズが小さい筐体に収容され、筐体の一部にＵＳＢ端子１２７が設けられている。ＵＳＢ端子１２７をＤ−ＯＮＵ１６０のＵＳＢ端子１６１にすることで、変換装置１２０とＤ−ＯＮＵ１６０の接続が図られるとともに、変換装置１２０をＤ−ＯＮＵ１６０に固定することができる。
【００６０】
ここで、電気映像信号入力端子１２１、分配部１２２、検波部１２３、エラー検出部１２４、および、契約照合部１２５は、前述した電気映像信号入力端子６４、分配部６５、検波部６６、エラー検出部６７、および、契約照合部６８は同様の機能を有するのでその説明を省略する。
【００６１】
制御／通信部１２６は、装置の各部を制御するとともに、検波部１２３、エラー検出部１２４、および、契約照合部１２５から供給される情報を、ＵＳＢ端子１２７を介してＤ−ＯＮＵ１６０に供給する。
【００６２】
ＵＳＢ端子１２７は、後述するＵＳＢ端子１６１に接続され、Ｄ−ＯＮＵ１６０から電源電力の供給を受けるとともに、検波部１２３、エラー検出部１２４、および、契約照合部１２５から供給される情報を、Ｄ−ＯＮＵ１６０に供給する。
【００６３】
Ｄ−ＯＮＵ１６０は、図２に示すＤ−ＯＮＵ６０と同様の光データ信号入出力端子６１、Ｄ−ＯＮＵ機能部６２、および、データ信号入出力端子６３を有するとともに、ＵＳＢ端子１６１および通信部１６２を有している。
【００６４】
ＵＳＢ端子１６１は、ＵＳＢ端子１２７に接続され、変換装置１２０に対して電源電力を供給するとともに、変換装置１２０において検出された情報を入力する。
【００６５】
通信部１６２は、ＵＳＢ端子１６１を介して変換装置１２０に対して電源電力を供給するとともに、制御／通信部１２６から変換装置１２０において検出された情報を取得する。
【００６６】
（Ｄ）本発明の第２実施形態の動作の説明
つぎに、本発明の第２実施形態の動作について説明する。第２実施形態では、図３と同様の処理が、変換装置１２０において実行される。なお、図３の処理が実行されるタイミングとしては、例えば、定期的（例えば、１時間に１回）に実行されたり、センター側からの指示に基づいて実行されたり、あるいは、ユーザの指示に基づいて実行されたりする。
【００６７】
図３の処理に基づいて検出された情報は、制御／通信部１２６によってＵＳＢ形式のデータに変換され、ＵＳＢ端子１２７，１６１を介して通信部１６２に供給される。通信部１６２は、変換装置１２０から供給された情報を、Ｄ−ＯＮＵ機能部６２を介してセンター側に送信する。
【００６８】
以上に説明したように、本発明の第２実施形態によれば、第１実施形態と同様の効果を得ることができるとともに、Ｄ−ＯＮＵ１６０の変更を最小限に抑えることができる。
【００６９】
（Ｅ）本発明の第３実施形態の構成の説明                
つぎに、図６を参照して本発明の第３実施形態の構成例について説明する。なお、図６において図４と対応する部分には同一の符号を付しているのでその説明は省略する。
【００７０】
図６では、図４と比較すると、変換装置１２０が除外され、変換装置１３０と通信信号送受信装置１４０が新たに追加されている。これら以外の構成は、図４の場合と同様である。
【００７１】
ここで、変換装置１３０は、分配器８２から出力される電気映像信号を入力し、信号レベル、ＭＥＲ、および、ＢＥＲを検出するとともに、契約内容と電気映像信号に含まれている信号とを照合し、得られた情報を、アンテナ１３０ａを介して無線で通信信号送受信装置１４０に供給する。
【００７２】
通信信号送受信装置１４０は、変換装置１３０から送信される情報を、アンテナ１４０ａを介して受信し、Ｄ−ＯＮＵ１６０に供給する。なお、変換装置１３０と通信信号送受信装置１４０との間の無線通信は、例えば、ＬＡＮ（Local Area Network）通信方式を用いることができる。
【００７３】
図７は、図６に示す変換装置１３０、通信信号送受信装置１４０、および、Ｄ−ＯＮＵ１６０の詳細な構成例を示す図である。
【００７４】
図７に示すように、変換装置１３０は、電気映像信号入力端子１３１、分配部１３２、検波部１３３、エラー検出部１３４、契約照合部１３５、制御／通信部１３６、および、アンテナ１３０ａを有している。ここで、電気映像信号入力端子１３１、分配部１３２、検波部１３３、エラー検出部１３４、および、契約照合部１３５は、前述した電気映像信号入力端子６４、分配部６５、検波部６６、エラー検出部６７、および、契約照合部６８は同様の機能を有するのでその説明を省略する。
【００７５】
制御／通信部１３６は、装置の各部を制御するとともに、検波部１３３、エラー検出部１３４、および、契約照合部１３５から供給される情報を、アンテナ１３０ａを介して通信信号送受信装置１４０に供給する。
【００７６】
通信信号送受信装置１４０は、アンテナ１４０ａ、通信部１４１、および、ＵＳＢ端子１４２を有している。アンテナ１４０ａは、アンテナ１３０ａとの間で電波によって情報を送受信する。通信部１４１は、アンテナ１４０ａを介して変換装置１３０との間で情報を送受信するとともに、ＵＳＢ端子１４２を介してＤ−ＯＮＵ１６０との間で情報を授受する。ＵＳＢ端子１４２は、ＵＳＢ端子１６１と接続され、Ｄ−ＯＮＵ１６０との間で情報を授受する。
【００７７】
Ｄ−ＯＮＵ１６０は、図５と同様の構成とされるので、その説明は省略する。
【００７８】
（Ｆ）本発明の第３実施形態の動作の説明
つぎに、本発明の第３実施形態の動作について説明する。第３実施形態では、図３と同様の処理が、変換装置１３０において実行される。なお、図３の処理が実行されるタイミングとしては、例えば、定期的（例えば、１時間に１回）に実行されたり、センター側からの指示に基づいて実行されたり、あるいは、ユーザの指示に基づいて実行されたりする。
【００７９】
図３の処理によって検出された情報は、制御／通信部１３６によってアンテナ１３０ａを介して通信信号送受信装置１４０に送信される。通信信号送受信装置１４０は、変換装置１３０からアンテナ１４０ａを介して受信した情報を、ＵＳＢ端子１４２を介してＤ−ＯＮＵ１６０に供給する。Ｄ−ＯＮＵ１６０は、通信信号送受信装置１４０から供給される情報に対して、ＩＤ情報を付加してセンター側に送信する。
【００８０】
以上に説明したように、本発明の第３実施形態によれば、前述した第１実施形態と同様の効果を期待することができるとともに、Ｄ−ＯＮＵ１６０の変更を最小限に抑えることができる。
【００８１】
また、変換装置１３０と通信信号送受信装置１４０は無線によって情報を授受することから、これらの間の配線を省略することができるので、設置場所を自由に選ぶことができる。また、設置作業を容易に行うことができる。
【００８２】
（Ｇ）変形実施形態の説明
以上の実施形態は一例であって、本発明が上述したような場合のみに限定されるものでないことはいうまでもない。例えば、第１実施形態では、Ｖ−ＯＮＵ５０とＤ−ＯＮＵ６０は別体として構成するようにしたが、これらを一の筐体に収容して一体の構成とするようにしてもよい。
【００８３】
また、以上の各実施形態では、電気映像信号の信号レベルならびにＭＥＲおよびＢＥＲを検出するとともに、契約情報との照合を行うようにしたが、これらの１つを実行するようにしたり、あるいは、これらの２つを実行したりするようにしてもよい。また、これら以外の状態を検出するようにしてもよい。
【００８４】
また、第３実施形態では、同じ家庭内に存在するＤ−ＯＮＵ１６０を用いるようにしたが、同じ家庭内にＤ−ＯＮＵ１６０が存在しない場合も想定される。そこで、近隣の別家庭に存在するＤ−ＯＮＵ１６０を用いて検出結果をセンター側に送信するようにしてもよい。その場合、通信方法としては、無線ＬＡＮ方式を用いるようにしてもよいし、それ以外の、例えば、Ｗｉ−ＳＵＮ（Wireless Smart Utility Network）方式を用いるようにしてもよい。
【００８５】
また、図３に示すフローチャートは一例であって、図３に示す処理の順序や、処理内容のみに本発明が限定されないことはいうまでもない。
【符号の説明】
【００８６】
１０  映像信号送信装置
２０  通信信号送受信装置
３０  光伝送路
４０  光伝送路
６１  光データ信号入出力端子
６２  Ｄ−ＯＮＵ機能部
６３  データ信号入出力端子
６４  電気映像信号入力端子
６５  分配部
６６  検波部（検出手段）
６７  エラー検出部（検出手段）
６８  契約照合部（検出手段）
６９  制御部（生成手段、送信手段）
８０  宅内配線
８１  分配器
８２  分配器
１００−１〜１００−４  テレビジョン受像機
１１０  パーソナルコンピュータ
１２０  変換装置
１２１  電気映像信号入力端子
１２２  分配部
１２３  検波部（検出手段）
１２４  エラー検出部（検出手段）
１２５  契約照合部（検出手段）
１２６  制御／通信部（生成手段、送信手段）
１２７  ＵＳＢ端子
１３０  変換装置
１３０ａ  アンテナ
１３１  電気映像信号入力端子
１３２  分配部
１３３  検波部（検出手段）
１３４  エラー検出部（検出手段）
１３５  契約照合部（検出手段）
１３６  制御／通信部（生成手段、送信手段）
１４０  通信信号送受信装置
１４０ａ  アンテナ
１４１  通信部
１４２  ＵＳＢ端子
１６１  ＵＳＢ端子
１６２  通信部
【図１】
2018113647.tif 000003
【図２】
2018113647.tif 000004
【図３】
2018113647.tif 000005
【図４】
2018113647.tif 000006
【図５】
2018113647.tif 000007
【図６】
2018113647.tif 000008
【図７】
2018113647.tif 000009